(57)【要約】【課題】触媒未活性時以外にも気体燃料を選択して運転することができるとともに、触媒未活性時に使用するための気体燃料を適切に確保して排気エミッション性能を向上させることができる、液体燃料と気体燃料とを切換えて運転可能なデュアルフューエルエンジンの制御装置を提供する。【解決手段】触媒未活性時には気体燃料（水素）の残量が第１所定量以下（燃料切れ）でない限りは使用燃料を気体燃料とし、触媒活性化後は運転者のスイッチ操作による燃料切換えを可能とし、また、触媒未活性時に使用する気体燃料を確保するため、気体燃料の残量が第１所定量より大きい第２所定量以下の状態ではスイッチ操作による燃料切換えを禁止しつつ使用燃料として液体燃料（ガソリン）を選択するよう制御装置を構成する。【選択図】図３
2008088864.tif 000002
【特許請求の範囲】
【請求項１】
使用燃料を液体燃料と気体燃料とに切換えて運転可能としたデュアルフューエルエンジンの制御装置であって、
気体燃料の残量に関連する値を検出して気体燃料の残量を判定する手段と、
排気浄化用の触媒の活性状態に関連する値を検出して触媒の活性状態を判定する手段と、
前記触媒が活性化されていないときに使用燃料を気体燃料とする第１燃料選択手段と、
気体燃料の残量が第１所定量以下のときに前記第１燃料選択手段による気体燃料への切換えを禁止して使用燃料を液体燃料とする第２燃料選択手段と、
前記触媒が活性化された後、所定条件が成立したときに、使用燃料を選択可能とする第３燃料選択手段と、
気体燃料の残量が前記第１所定量よりも大きい第２所定量以下のときには、前記第３燃料選択手段による使用燃料の切換えを禁止しつつ使用燃料として液体燃料を選択する第４燃料選択手段を備えたことを特徴とするデュアルフューエルエンジンの制御装置。
【請求項２】
前記所定条件は、乗員が所定のスイッチを操作することにより成立するものであり、前記禁止手段は、気体燃料の残量が前記第２所定量以下のときに前記スイッチによる使用燃料の切換えを禁止するものであることを特徴とする請求項１記載のデュアルフューエルエンジンの制御装置。
【請求項３】
外気温度に関連する値を検出して外気温度を判定する手段と、外気温度が所定温度以下のときには前記第２所定量を大きくする手段を備えたことを特徴とする請求項１または２記載のデュアルフューエルエンジンの制御装置。
【請求項４】
気体燃料の残量が燃料補給を必要とするレベルに達してから気体燃料が補給されるまでの気体燃料の消費量に関連する値を検出して補給要求後の気体燃料の消費量を判定する手段と、該消費量が多いほど前記第２所定量を大きくする手段を備えたことを特徴とする請求項１、２または３記載のデュアルフューエルエンジンの制御装置。
【発明の詳細な説明】
【技術分野】
【０００１】
本発明は、使用燃料を液体燃料（ガソリン、軽油等）と気体燃料（水素、ＣＮＧ等）とに切換えて運転可能としたデュアルフューエルエンジンの制御装置に関する。
【背景技術】
【０００２】
液体燃料であるガソリンと気体燃料であるＣＮＧ（圧縮天然ガス）とを切換えて使用するデュアルフューエルエンジンであって、冷間始動時に触媒が活性化するまでは常に気体燃料を使用することにより、排気エミッション性能の向上を図ったものが従来から知られている（例えば、特許文献１参照。）。
【特許文献１】特開２０００−２１３３９４号公報
【発明の開示】
【発明が解決しようとする課題】
【０００３】
ところで、上記従来のデュアルフューエルエンジンは、液体燃料と気体燃料とを切換えて使用するといっても、気体燃料の使用は、冷間始動時に触媒が活性化するまでの間だけであり、それも、エミッション性能の向上のためだけに気体燃料を使用するものである。
【０００４】
それに対し、液体燃料と気体燃料とを切換えて使用可能なデュアルフューエルエンジンであって、運転者が、クリーン志向で気体燃料を使って走りたいというようなときに、スイッチ操作によって自由に燃料を切り換えることができるようにするなど、触媒未活性時以外にも乗員の意思で使用燃料の切換えができるようにしたいという要求がある。
【０００５】
そこで、例えば車両運転席の前のインストルメントパネル（略してインパネ）に燃料切換え用のスイッチを設けて、運転者がスイッチ操作で使用燃料を選択でき、液体燃料を選択していれば常に液体燃料で走り、気体燃料を選択していれば常に気体燃料で走るようにすることが考えられている。
【０００６】
しかし、乗員の意思で無制限に燃料切換えができるのでは、冷間始動時で触媒が活性化していないときに液体燃料を使用する場合があり、そうした場合、気体燃料の使用によるエミッション性能向上の効果が得られない。
【０００７】
また、無制限に燃料切換えができることで、触媒活性化のため以外に使用する気体燃料が多くなると、気体燃料の残量が不足して、触媒未活性時の水素使用による始動が困難となり、触媒未活性時のエミッション性能向上という本来の目的が達成できなくなる恐れがある。そのため、触媒未活性化時に使用する気体燃料を確保しておきたいという要求がある。しかし、従来の技術では、そういった要求に応えることができない。従来の技術では、冷間始動時のための気体燃料量の確保に関して考慮がなされていない。
【０００８】
そこで、本発明は、触媒未活性時以外にも気体燃料を選択して運転することができるとともに、触媒未活性時に使用するための気体燃料を適切に確保して排気エミッション性能を向上させることができる、液体燃料と気体燃料とを切換えて運転可能なデュアルフューエルエンジンの制御装置を提供することを目的とする。
【課題を解決するための手段】
【０００９】
本発明は、使用燃料として液体燃料（ガソリン、軽油等）と気体燃料（水素、ＣＮＧすなわち天然ガス等）とを切換え可能としたデュアルフューエルエンジンの制御装置であって、気体燃料の残量に関連する値を検出して気体燃料の残量を判定する手段と、排気浄化用の触媒の活性状態に関連する値を検出して触媒の活性状態を判定する手段と、触媒が活性化されていないときに使用燃料を気体燃料とする第１燃料選択手段と、気体燃料の残量が第１所定量以下のときに第１燃料選択手段による気体燃料への切換えを禁止して使用燃料を液体燃料とする第２燃料選択手段と、触媒が活性化された後、所定条件（例えば乗員が所定のスイッチを操作することにより成立する）が成立したときに、使用燃料を選択可能とする第３燃料選択手段と、気体燃料の残量が第１所定量よりも大きい第２所定量以下のときには、第３燃料選択手段による使用燃料の切換えを禁止しつつ使用燃料として液体燃料を選択する第４燃料選択手段を備えたことを特徴とする。
【００１０】
この場合、エンジン始動時で触媒が活性化するまでは、第１燃料選択手段により気体燃料が選択されて、気体燃料によってエンジンが始動される。そのため、触媒未活性時の排気エミッション性能が向上する。
【００１１】
また、触媒が活性化していないときでも、気体燃料の残量が第１所定量以下のときは、第２燃料選択手段によって強制的に液体燃料に切換えられる。それにより、気体燃料の燃料切れでエンジンの運転が継続できなくなるのが防止される。
【００１２】
また、触媒が活性化された後は、運転者によるスイッチ操作等の所定条件が成立すると、例えばそのスイッチの操作により、第３燃料選択手段による使用燃料の選択が可能となる。例えば、運転者が燃料切換えスイッチを押すことで、使用燃料を気体燃料から液体燃料に、あるいは液体燃料から気体燃料に、自由に使用燃料を切換えることができる。
【００１３】
ただし、その第３燃料選択手段による使用燃料の切換えは、気体燃料の残量が第１所定量よりも大きい第２所定量以下のときには、禁止手段によって禁止される。つまり、気体燃料の残量が十分多い（第２所定量より多い）場合には、触媒未活性時の気体燃料の使用および運転手のスイッチ操作等による気体燃料の使用の両方が可能とされるが、気体燃料の残量が少ない状態（第２所定量以下）になったら、インジェクタから噴けるほどの気体燃料の圧力がなくなる完全に燃料切れの状態にならないようにするために、運転者のスイッチ操作等による気体燃料の使用は禁止され、使用燃料として液体燃料が選択される。それにより、触媒が活性化するまで使用する気体燃料が確保される。
【００１４】
このように、本発明のデュアルフューエルエンジンの制御装置は、触媒未活性時に気体燃料を使用して排気エミッション性能の向上を図ることができるとともに、触媒未活性時以外にもスイッチ操作等で使用燃料の切換えができるようにしたいという要求にも適切に応えることができる。
【００１５】
また、本発明のデュアルフューエルエンジンの制御装置は、上記構成において、外気温度に関連する値を検出して外気温度を判定する手段と、外気温度が所定温度以下のときには第２所定量を大きくする手段を備えたものとすることができる。
【００１６】
例えば冬場などの外気温度が低いときには、触媒が活性化温度を下回りやすく、なかなか暖まらないということで、次のエンジン始動時に触媒活性化までに必要な気体燃料量が多くなる。そのため、外気温度が低いときには、このように第２所定量を大きくする。それより、触媒未活性時に使用するための気体燃料を適切に確保することができる。
【００１７】
また、本発明のデュアルフューエルエンジンの制御装置は、上記構成において、気体燃料の残量が燃料補給を必要とするレベルに達してから気体燃料が補給されるまでの気体燃料の消費量に関連する値を検出して補給要求後の気体燃料の消費量を判定する手段と、該消費量が多いほど第２所定量を大きくする手段を備えたものとすることができる。
【００１８】
気体燃料の残量が燃料補給を必要とするレベルに達したことを、例えば気体燃料の残量が例えば上記第２所定量以下になったことによって検知し、燃料切れランプを点灯させるなどして気体燃料の補給を促しても、運転者によってはなかなか気体燃料を補給してくれないことがあり、どんどん気体燃料の残量が少なくなっていって、エンジン始動時に気体燃料を使用できなくなることがある。そのため、例えば気体燃料の燃料切れランプを点灯させてから気体燃料が補給されるまでにどれくらい気体燃料が減っているか（触媒未活性時の運転にどれくらい気体燃料が使われているか）というのを見て、その消費量が多いということは、気体燃料をなかなか補給してくれないということなので、そういう場合はこのように第２所定量の設定を大きくし、触媒未活性時以外の気体燃料の使用を早めに禁止するとともに、早めに気体燃料の補給を促す。それにより、触媒未活性時に使用するための気体燃料を適切に確保することができる。
【発明の効果】
【００１９】
このように本発明によれば、触媒未活性時に気体燃料を使用して排気エミッション性能の向上を図ることができるとともに、触媒未活性時以外にもスイッチ操作等で使用燃料の切換えができるようにしたいという要求にも適切に応えることができる。
【００２０】
また、特に、外気温度に関連する値を検出して外気温度を判定する手段と、外気温度が所定温度以下のときには第２所定量を大きくする手段を備えたものとすることにより、外気温度が低いときにも触媒未活性時に使用するための気体燃料を適切に確保することができる。
【００２１】
また、特に、気体燃料の残量が燃料補給を必要とするレベルに達してから気体燃料が補給されるまでの気体燃料の消費量に関連する値を検出して補給要求後の気体燃料の消費量を判定する手段と、該消費量が多いほど第２所定量を大きくする手段を備えたものとすることにより、気体燃料がなかなか補給されないことを予測して、触媒未活性時以外の気体燃料の使用を早めに禁止し早めに補給を促すことができ、それにより、触媒未活性時に使用するための気体燃料を適切に確保することができる。
【発明を実施するための最良の形態】
【００２２】
以下、本発明の実施形態を図面に基づいて説明する。
図１〜図７は本発明の実施形態の一例を示している。図１はこの実施形態のデュアルフューエルエンジンを搭載した車両の駆動システムの全体図、図２はデュアルフューエルエンジンの制御ブロック図、図３はデュアルフューエルエンジンの燃料切換え制御の基本概念説明図、図４はデュアルフューエルエンジンの燃料切換え制御の細部概念説明図、図５はデュアルフューエルエンジンの燃料切換え制御のメインルーチンを示すフローチャート、図６はデュアルフューエルエンジンの燃料切換え制御のサブルーチンの一例を示すフローチャート、図７はデュアルフューエルエンジンの燃料切換え制御のサブルーチンの他の例を示すフローチャートである。
【００２３】
この実施形態は、ガソリン（液体燃料）と水素（気体燃料）とを切換えて運転可能なデュアルフューエルエンジンを、エンジンの駆動力を直接車軸に伝達して車両を駆動するのではなく、モータで車両を駆動し、そのモータに供給する電力を発電するためにエンジンを動かすハイブリッドシステム（シリーズハイブリッドという）の車両に搭載したものである。
【００２４】
車両の駆動システムは、図１に示すとおりで、エンジン１と、ガソリン燃料タンク２および水素燃料タンク３と、ガソリン燃料タンク２からエンジン１にガソリンを供給するガソリン供給通路４および水素燃料タンク３からエンジン１に水素を供給する水素供給通路５と、エンジン１の出力軸６によって駆動されるジェネレータ（発電機）７と、デフ（デファレンシャル）８を介して車軸９を駆動するモータ（電動機）１０と、モータ駆動用の電力を蓄電するバッテリ（高電圧バッテリ）１１と、交流電流を直流に変換するＡＣ−ＤＣコンバータ１２と、ジェネレータ７で発電された交流電流を直流に変換するためにＡＣ−ＤＣコンバータ１２へ流す電流経路１３と、直流電流を交流に変換するＤＣ−ＡＣコンバータ１４と、ＡＣ−ＤＣコンバータ１２からの直流電流をバッテリ１１へ流す電流経路１５と、この電流経路１５から分かれてＡＣ−ＤＣコンバータ１２からの直流電流およびバッテリ１１からの直流電流をＤＣ−ＡＣコンバータ１４へ流す電流経路１６と、ＤＣ−ＡＣコンバータ１４からの交流電流をモータ１０へ供給する電流経路１７とで構成されている。
【００２５】
ＡＣ−ＤＣコンバータ１２からの直流電流をバッテリ１１へ流す電流経路１５には、図示していないがＤＣ−ＡＣコンバータ１４への電流経路１６の分岐点よりもバッテリ１１側に、ＡＣ−ＤＣコンバータ１２からの直流電流を蓄電するよう高電圧バッテリ１１側に流す位置と、そのままＤＣ−ＡＣコンバータ１４を介してモータ１０に供給する位置とに切換えるバッテリ切換えスイッチが設けられている。
【００２６】
そして、このシリーズハイブリッドの車両の運転形態は次のとおりである。
エンジン１は常に動いているわけではなく、車両の始動時や低トルクの場合は、それほど大きな駆動力は必要ないので、わざわざエンジン１を動かすことはせず、高電圧バッテリ１１の電力をＤＣ−ＡＣコンバータ１６を介してモータ１０に供給して車両を駆動する。
【００２７】
一方、トルクが大きくなって、中トルクの状態になると、バッテリ１１からどんどん電力を持ち出していると、バッテリ１１の蓄電量が減ってくるので、その場合はエンジン１を動かして、エンジン１によりジェネレータ７を駆動し、ジェネレータ７の発電電力をモータ１０に供給して車両を駆動する。
【００２８】
そして、さらにトルクが大きくなって、高トルクの状態になると、エンジン１による発電量だけではまかないきれないということで、エンジン１の駆動によりジェネレータ７で発電した電力とバッテリ１１の電力の両方をモータ１０に供給して車両を駆動する。
【００２９】
また、バッテリ１１の蓄電量が少なくて、充電しないといけないという状態のときは、そのとき、もしエンジン１が動いていない状態、例えば、低トルクで走っていて、バッテリ１１の充電量がどんどん下がってきたような状態の場合には、エンジン１を始動させて、バッテリ１１を充電させるというようなことを行う。
【００３０】
また、バッテリ１１の蓄電量が少なくて、充電しないといけないという状態になったときに、既にエンジン１が動いている状態、例えば、高トルクで、エンジン１の駆動によりジェネレータ７で発電した電力とバッテリ１１の電力の両方をモータ１０に供給している状態で、バッテリ１１の蓄電量が減ってきた場合には、中トルクの状態になるのを待って、モータ１０が必要とする電力以上の発電量が得られるようにエンジン１を駆動し、ジェネレータ７の発電量をなるべく高い値に保って、その余剰分の電力をバッテリ１１に供給し、バッテリ１１を充電するというようなことを行う。
【００３１】
そして、このシリーズハイブリッドのシステムにおいて、エンジン１は、図２に示すように、一対のロータハウジング１０１，１０２と、その内周面に沿い、出力軸６（エキセントリックシャフト）に支持されて回転する２つのロータ１０３，１０４を備えた２ロータのロータリーエンジン（図２には一対のロータハウジング１０１，１０２が左右に展開され模式的に示されている）であって、吸気通路１０５の上流側の共通通路部分にスロットル弁１０６が設けられ、スロットル弁１０６を駆動するスロットル弁アクチュエータ１０７が配置されている。そして、吸気通路１０５の下流側の２つに分岐した独立通路部分に、ポート噴射を行うガソリン用の燃料噴射弁１０８，１０９が設けられ、また、ロータハウジング１０１，１０２に、燃焼室内に燃料を噴射するよう水素用の燃料噴射弁１１０，１１１が設置されている。また、点火プラグ１１２，１１３；１１４，１１５が各ロータハウジング１０１，１０２にそれぞれ２つずつ設置されている。そして、これらスロットル弁アクチュエータ１０７、ガソリン用の燃料噴射弁１０８，１０９、水素用の燃料噴射弁１１０，１１１、および点火プラグ１１２，１１３；１１４，１１５を、コンピュータ（ＰＣＭ）１２０で制御するようエンジン制御系が構成されている。
【００３２】
このコンピュータ（ＰＣＭ）１２０には、スロットル制御、空燃比制御、点火時期制御等のための各種信号がそれ自体従来公知のエンジンと同様に入力されるのに加えて、バッテリ電流・電圧センサ１２１と、水素燃料タンク３の圧力センサ１２２と、ガソリン燃料タンク２の燃料センサ１２３と、インパネ（インストルメントパネル）に設けられた燃料切換えスイッチ１２４と、外気温度センサ１２５と、触媒温度センサ１２６のそれぞれの検出信号が入力される。そして、コンピュータ（ＰＣＭ）１２０は、それら入力信号に基づいてＡＣ−ＤＣコンバータ１２およびＤＣ−ＡＣコンバータ１４の制御によりモータ１０に供給する電力を制御し、バッテリ切換え用のスイッチを制御し、燃料切換え用の弁を制御する。
【００３３】
バッテリ電流・電圧センサ１２１は、バッテリ１１に付設されたもので、バッテリ１１に入ってくる電力とバッテリ１１から出て行く電力を電流と電圧から求め、バッテリ１１の蓄電量を検出する。また、触媒温度センサ１２６は、触媒に付設されて触媒温度を直接検出するものである。ただし、触媒温度は排気温度から推定するようにしてもよい。
【００３４】
このエンジン１は、使用燃料をガソリンと水素とに切換えて運転するもので、エンジン始動時で触媒が活性化するまでは、自動的に水素を使用し、触媒が活性化した後は、運転者がガソリンを選択しておれば、ガソリンに切換え、水素を選択しておれば、そのまま水素を使用する。また、触媒が活性化していないときでも、水素が燃料切れであれば、ガソリンで始動する。また、水素を使用していて、水素が燃料切れになったら、自動的にガソリンに切換え、ガソリンを使用していて、ガソリンが燃料切れになったら、自動的に水素に切換える。また、このエンジン１は、触媒が活性化された後は、運転者がインパネの燃料切換えスイッチ１２４を操作することで、燃料を切換えることができる。現在どの燃料を使用しているかは、スピードメータなどがついている表示部分に表示が出る。
【００３５】
また、このエンジン１では、図３に示すように、水素の残量が、インジェクタからの水素噴射不可能な燃料切れの状態（第１所定量以下）のときに、水素の使用を禁止して使用燃料をガソリンに切換える。
【００３６】
また、触媒が活性化するまで使用する水素を確保することを目的として、水素の残量が少なくなって、燃料切れの状態（第１所定量）に近い状態（第２所定量以下）になったときには、運転者の燃料切換えスイッチ１２４による使用燃料の切換えを禁止する。そして、触媒未活性時以外は使用燃料をガソリンにする。そして、燃料切れランプを点灯して運転者に水素の補給を促す。
【００３７】
それより水素の残量が多い（第２所定量より多い）場合には、触媒未活性時の水素の使用も、運転者のスイッチ操作による水素の使用も、両方とも可能である。
【００３８】
また、外気温度が低いときには、触媒が冷えやすく、触媒が活性化温度を下回りやすく、なかなか暖まらなくて、水素の消費量が多くなることが予測されるため、水素をなるべく多く確保しておくために、図４に示すように、触媒未活性時にのみ水素の使用を許可する領域（Ｂ）を、水素残量が多い側へ広げる（第２所定量を大きくする）。これにより、外気温度が低い状態でも触媒未活性時に使用するための水素を適切に確保することができる。
【００３９】
また、水素残量が少なくなり、燃料切れランプが点灯してから、水素が補給されるまでに使用した水素量の平均値を記憶しておき、その平均値が高いときには、
スイッチによる切換えを禁止し燃料切れランプを点灯させるしきい値（第２所定量）を大きくしておく。燃料切れランプを点灯させて水素補給を促しても、運転者によってはなかなか水素を補給してくれないということがあるので、水素の燃料切れランプが点灯してから水素が補給されるまでにどれくらい水素が減っているか（触媒未活性時の運転にどれくらい気体燃料が使われているか）というのを見て、その平均値を記憶して、その平均値が多いということは、水素の燃料切れランプが点灯してもなかなか水素を補給してくれないということなので、そういう場合はこのようにスイッチによる切換えを禁止し燃料切れランプを点灯させるしきい値（第２所定量）を大きくし、触媒未活性時以外の水素の使用を早めに禁止するとともに、早めに気体燃料の補給を促して、触媒未活性時に使用するための水素を確保できるようにする。
【００４０】
次に、このエンジン１の上記燃料切換え制御の手順を図５〜図７のフローチャートによって説明する。
【００４１】
図５のフローチャートは燃料切換え制御のメインルーチンを示すもので、エンジン始動の指令と同時にスタートする。
そして、ステップＳ１で、エンジンの運転要求があるかないかを判定する。スタート直後は当然エンジンの運転要求があり、判定は「Ｙｅｓ」である。しかし、何回かリターンすると、途中で低トルクの状態になって、エンジンの運転要求がなくなり、この判定が「Ｎｏ」にある場合がある。その場合は、ステップＳ２でエンジンを停止し、リターンする。
【００４２】
また、ステップＳ１の判定が「Ｙｅｓ」の場合は、ステップＳ３で、ガソリン残量および水素残量の値を読み込む。そして、ステップＳ４で、ガソリン残量が有るかどうかを判定し、判定が「Ｎｏ」でガソリン残量が無いという場合は、使用燃料として水素を選択せざるを得ないといういことで、ステップＳ５で、使用燃料として水素を選択し、リターンする。
【００４３】
また、ステップＳ４の判定が「Ｙｅｓ」でガソリン残量が有るという場合は、ステップＳ６で、水素残量が第１所定量以上かどうかを判定する。そして、判定が「Ｎｏ」で水素残量が第１所定量より少ないという場合は、ステップＳ７で、使用燃料としてガソリンを選択し、リターンする。
【００４４】
また、ステップＳ６の判定が「Ｙｅｓ］で水素残量が第１所定量以上という場合は、ステップＳ８で、触媒温度を読み込み、次いで、ステップＳ９で、触媒温度が活性化温度に達しているかどうかを判定する。そして、この判定が「Ｎｏ」で触媒活性化温度に達していないという場合は、ステップＳ１０で、使用燃料として水素を選択し、リターンする。
【００４５】
また、ステップＳ９の判定が「Ｙｅｓ」で触媒活性化温度に達しているという場合は、ステップＳ１１で、水素残量が第２所定量以上かどうかを判定する。そして、水素残量が第２所定量以上でない場合は、ステップＳ１２で、使用燃料としてガソリンを選択し、次いで、ステップＳ１３で、インパネの水素燃料切れランプを点灯し、さらにステップＳ１４で、燃料切換えスイッチの操作禁止の警告を同じくインパネの表示部分に出して、リターンする。
【００４６】
また、ステップＳ１１の判定が「Ｙｅｓ」で水素残量が第２所定量以上である場合は、ステップＳ１５で、燃料切換えスイッチにより選択されている燃料を読み込み、次いで、ステップＳ１６で、燃料切換えスイッチによって水素が選択されているかどうかを判定する。そして、この判定が「Ｙｅｓ」で水素選択中であれば、ステップｓ１７で、使用燃料としてそのまま水素を選択して、リターンし、判定が「Ｎｏ」でガソリン選択中で有れば、ステップＳ１８で、使用燃料としてそのままガソリンを選択し、リターンする。
【００４７】
図６のフローチャートは、外気温度による所定量の変更のサブルーチンを示すもので、エンジン始動の指令と同時にスタートする。
そして、ステップＳ１０１で、外気温度センサの検出値を読み込み、次いで、ステップＳ１０２で、外気温度が所定温度（例えば１０℃）以下かどうかを判定する。
【００４８】
そして、ステップＳ１０２の判定が「Ｎｏ」であればそのままリターンする。また、判定が「Ｙｅｓ」で外気温度が所定温度以下という場合は、第２所定量が大きくなるようにマップを変更し、リターンする。
【００４９】
外気温度が所定温度以下の場合に第２所定量をどれだけ大きくするかは、例えば予めマップで決めておいて、通常時と外気温度が低いときとで異なるマップを使用する。
【００５０】
図７のフローチャートは、水素燃料補給状況による所定量の変更のサブルーチンを示すもので、エンジン始動の指令と同時にスタートする。
そして、ステップＳ２０１で、水素燃料切れランプ点灯から水素燃料補給までの平均水素消費量を読み込み、次いで、ステップＳ２０２で、平均水素消費量が所定量以上かどうかを判定する。
【００５１】
そして、ステップＳ２０２の判定が「Ｎｏ」であればそのままリターンする。また、判定が「Ｙｅｓ」で平均水素消費量が所定量以上というときは、ステップＳ２０３で、第２所定量が大きくなるようにマップを変更する。
【００５２】
以上、実施形態の一例を説明したが、本発明はこれに限定されず、様々な形態で実施することができる。
【００５３】
例えば、上記実施形態は、シリーズハイブリッド自動車の場合であるが、本発明は、エンジンの出力のみが車両の駆動力となる通常のデュアルフューエルエンジン車にも適用できる。
【００５４】
エンジンの使用燃料としては、液体燃料として軽油等を使用するものであってよく、気体燃料としてＣＮＧ等を使用するものであってもよい。
【００５５】
また、上記実施形態では、燃料切換え条件として、運転者がインパネの切換えスイッチを操作するものとしたが、他に、車両の要求トルクが小さいときにはエンジントルクの出にくい水素に自動的に切換え、要求トルクが大きいときにはエンジントルクの出るガソリンに自動的に切換えるものであってもよい。また、このような切換え条件を複数備えたものであってもよい。
【図面の簡単な説明】
【００５６】
【図１】本発明の実施形態のデュアルフューエルエンジンを搭載した車両の駆動システムの全体図である。
【図２】本発明の実施形態のデュアルフューエルエンジンの制御ブロック図である。
【図３】本発明の実施形態のデュアルフューエルエンジンの燃料切換え制御の基本概念説明図である。
【図４】本発明の実施形態のデュアルフューエルエンジンの燃料切換え制御の細部概念説明図である。
【図５】本発明の実施形態のデュアルフューエルエンジンの燃料切換え制御のメインルーチンを示すフローチャートである。
【図６】本発明の実施形態のデュアルフューエルエンジンの燃料切換え制御のサブルーチンの一例を示すフローチャートである。
【図７】本発明の実施形態のデュアルフューエルエンジンの燃料切換え制御のサブルーチンの他の例を示すフローチャートである。
【符号の説明】
【００５７】
１  エンジン（デュアルフューエルエンジン）
２  ガソリン燃料タンク
３  水素燃料タンク
７  ジェネレータ（発電機）
１０  モータ（電動機）
１１  バッテリ（高電圧バッテリ）
１２  ＡＣ−ＤＣコンバータ
１４  ＤＣ−ＡＣコンバータ
１０８、１０９  ガソリン用の燃料噴射弁
１１０，１１１  水素用の燃料噴射弁
１２０  コンピュータ（ＰＣＭ）
１２１  バッテリ電流・電圧センサ
１２２  水素燃料タンクの圧力センサ
１２３  ガソリン燃料タンクの燃料センサ
１２４  燃料切換えスイッチ
１２５  外気温度センサ
１２６  触媒温度センサ
【図１】
2008088864.tif 000003
【図２】
2008088864.tif 000004
【図３】
2008088864.tif 000005
【図４】
2008088864.tif 000006
【図５】
2008088864.tif 000007
【図６】
2008088864.tif 000008
【図７】
2008088864.tif 000009